(57)【要約】【構成】電極Ｅ１およびＥ２は、基板ＳＢ１上に形成される。電極Ｅ３〜Ｅ１０は、電極Ｅ１およびＥ２を囲むように基板ＳＢ１上に形成される。導電線Ｌ１およびＬ２は、電極Ｅ６およびＥ７を挟むように基板ＳＢ１上を延びて、電極Ｅ１およびＥ２にそれぞれ接続される。絶縁シートは、外部に露出した表面を有して電極Ｅ１〜Ｅ１０および導電線Ｌ１〜Ｌ１０を覆う。操作者の指が絶縁シートに接触した場合において、接触部分の裏側に電極Ｅ１およびＥ２が存在すれば、導電体ＥＣ１および導電体ＥＣ２の静電容量が変化する。同様に操作者の指が絶縁シートに接触した場合において、接触部分の裏側に電極Ｅ７とその近傍を延びる導電線Ｌ１が存在すれば、導電体ＥＣ７および導電体ＥＣ１の静電容量が変化する。【効果】電極Ｅ６〜Ｅ７を挟むように導電線Ｌ１〜Ｌ２を基板ＳＢ１上に形成することで、操作態様の誤判別を防止することができる。【選択図】図８
2010072775.tif 000002
【特許請求の範囲】
【請求項１】
基板上に形成される複数の第１電極、
前記複数の第１電極を囲むように前記基板上に形成される複数の第２電極、
前記複数の第２電極の少なくとも１つを挟むように前記基板上を延びて前記複数の第１電極にそれぞれ接続される複数の第１導電線、および
外部に露出した一方主面を有して前記複数の第１電極，前記複数の第２電極および前記複数の第１導電線を覆う絶縁シートを備える、静電容量型タッチパッド装置。
【請求項２】
前記基板上を延びて前記複数の第２電極にそれぞれ接続される複数の第２導電線をさらに備え、
前記絶縁シートは前記複数の第２導電線をさらに覆う、請求項１記載の静電容量型タッチパッド装置。
【請求項３】
前記複数の第１電極および前記複数の第２電極の各々の静電容量の変化を検出する検出手段、および
前記検出手段による複数の検出結果を参照した処理を実行する処理手段をさらに備える、請求項１または２記載の静電容量型タッチパッド装置。
【請求項４】
前記検出手段は前記静電容量に対応する数値を示す入力インピーダンスの変化量を閾値と比較して前記静電容量の変化を検出する、請求項３記載の静電容量型タッチパッド装置。
【請求項５】
前記検出手段は前記静電容量に対応する数値を示す入力インピーダンスを基準インピーダンスと比較して前記静電容量の変化を検出する、請求項３記載の静電容量型タッチパッド装置。
【請求項６】
前記検出手段の検出結果はアクティブおよびネガティブのいずれか一方を示し、
前記処理手段は、前記検出手段による複数の検出結果のうち前記複数の第１電極に対応する検出結果のいずれもがアクティブであるか否かを判別する判別手段、前記判別手段の判別結果が肯定的であるとき第１既定処理を実行する第１既定処理手段、および前記判別手段の判別結果が否定的であるとき第２既定処理を実行する第２既定処理実行手段を含む、請求項３ないし５のいずれかに記載の静電容量型タッチパッド装置。
【請求項７】
前記複数の第２電極は環を描くように前記基板上に形成され、
前記処理手段は、前記複数の第２電極に共通のパラメータを割り当てる割り当て手段、および前記割り当て手段によって割り当てられたパラメータの値を前記検出手段による複数の検出結果のうち前記複数の第２電極に対応する検出結果に応答して更新する更新処理を含む、請求項６記載の静電容量型タッチパッド装置。
【請求項８】
前記検出手段による複数の検出結果のうちアクティブである検出結果の数が前記第１電極の数を上回るとき前記判別手段の判別処理を禁止する禁止手段をさらに備える、請求項６または７記載の静電容量型タッチパッド装置。
【発明の詳細な説明】
【技術分野】
【０００１】
この発明は、静電容量型タッチパッド装置に関し、特に電極を覆う絶縁シートへの指の接触を電極と指との間の静電容量の変化に注目して検知する、静電容量型タッチパッド装置に関する。
【背景技術】
【０００２】
この種の装置の一例が、特許文献１に開示されている。この背景技術によれば、複数のスイッチ電極がパネル上に配置されかつガラス板（またはアクリル板）によって覆われる。操作者の指がガラス板に接触すると、接触部分の裏側に位置するスイッチ電極の静電容量が増大する。パネル上での操作態様がこのような静電容量の変化に注目して判別され、判別結果に応じた処理がＣＰＵによって実行される。
【特許文献１】特開２００５−８４９８２号公報
【発明の開示】
【発明が解決しようとする課題】
【０００３】
しかし、背景技術では、スイッチ電極に接続されたリードパターンが他のスイッチ電極の近傍に形成される。このため、操作者の指の接触によってリードパターンの静電容量が増大し、操作態様が誤判別されるおそれがある。
【０００４】
それゆえに、この発明の主たる目的は、操作態様の誤判別を防止することができる、静電容量型タッチパッド装置を提供することである。
【課題を解決するための手段】
【０００５】
この発明に従う静電容量型タッチパッド装置(10：実施例で相当する参照符号。以下同じ)は、基板上に形成される複数の第１電極(E1, E2)、複数の第１電極を囲むように基板上に形成される複数の第２電極(E3~E10)、複数の第２電極の少なくとも１つを挟むように基板上を延びて複数の第１電極にそれぞれ接続される複数の第１導電線(L1, L2)、および外部に露出した一方主面を有して複数の第１電極，複数の第２電極および複数の第１導電線を覆う絶縁シート(IST1)を備える。
【０００６】
複数の第１電極は、基板上に形成される。複数の第２電極は、複数の第１電極を囲むように基板上に形成される。複数の第１導電線は、複数の第２電極の少なくとも１つを挟むように基板上を延びて、複数の第１電極にそれぞれ接続される。絶縁シートは、外部に露出した一方主面を有して、複数の第１電極，複数の第２電極および複数の第１導電線を覆う。
【０００７】
操作者の指が絶縁シートの一方主面に接触した場合において、接触部分の裏側に第２電極とその近傍を延びる第１導電線が存在すれば、第２電極の静電容量だけでなく、第１電極および第１導電線からなる導電体の静電容量も変化する。ただし、この発明では、複数の第１電極と複数の第１導電線とが準備され、複数の第１導電線は複数の第２電極の少なくとも１つを挟むように延びる。したがって、互いに接続された第１電極および第１導電線からなる導電体の静電容量を個別に監視することで、静電容量の変化が第１電極への指の接触に起因するのか、或いは第２電極の近傍を延びる第１導電線への指の接触に起因するのかが判明する。これによって、操作態様の誤判別を防止することができる。
【０００８】
好ましくは、基板上を延びて複数の第２電極にそれぞれ接続される複数の第２導電線(L3~L10)がさらに備えられ、絶縁シートは複数の第２導電線も覆う。
【０００９】
好ましくは、複数の第１電極および複数の第２電極の各々の静電容量を検出する検出手段(24)、および検出手段による複数の検出結果を参照した処理を実行する処理手段(S1~S19)がさらに備えられる。
【００１０】
好ましい実施例では、検出手段は静電容量に対応する数値を示す入力インピーダンスの変化量を閾値と比較して静電容量の変化を検出する。
【００１１】
他の好ましい実施例では、検出手段は静電容量に対応する数値を示す入力インピーダンスを基準インピーダンスと比較して静電容量の変化を検出する。
【００１２】
また、検出手段の検出結果はアクティブおよびネガティブのいずれか一方を示し、処理手段は、検出手段による複数の検出結果のうち複数の第１電極に対応する検出結果のいずれもがアクティブであるか否かを判別する判別手段(S7, S9)、判別手段の判別結果が肯定的であるとき第１既定処理を実行する第１既定処理手段(S11)、および判別手段の判別結果が否定的であるとき第２既定処理を実行する第２既定処理実行手段(S13~S19)を含む。
【００１３】
ある局面では、複数の第２電極は環を描くように基板上に形成され、処理手段は、複数の第２電極に共通のパラメータを割り当てる割り当て手段(S1)、および割り当て手段によって割り当てられたパラメータの値を検出手段による複数の検出結果のうち複数の第２電極に対応する検出結果に応答して更新する更新処理(S17)を含む。
【００１４】
他の局面では、検出手段による複数の検出結果のうちアクティブである検出結果の数が第１電極の数を上回るとき判別手段の判別処理を禁止する禁止手段(S5)がさらに備えられる。
【発明の効果】
【００１５】
この発明によれば、複数の第１電極と複数の第１導電線とが準備され、複数の第１導電線は複数の第２電極の少なくとも１つを挟むように延びる。したがって、互いに接続された第１電極および第１導電線からなる導電体の静電容量を個別に監視することで、静電容量の変化が第１電極への指の接触に起因するのか、或いは第２電極の近傍を延びる第１導電線への指の接触に起因するのかが判明する。これによって、操作態様の誤判別を防止することができる。
【００１６】
この発明の上述の目的，その他の目的，特徴および利点は、図面を参照して行う以下の実施例の詳細な説明から一層明らかとなろう。
【発明を実施するための最良の形態】
【００１７】
図１を参照して、この実施例のフォトビューワ１０は、静電容量型タッチパッド（以下、単に「タッチパッド」と言う。）２２を含む。タッチパッド２２上での操作態様は、操作検知回路２４によって検知される。ＣＰＵ３０は、操作検知回路２４の検知結果を繰り返し取り込み、取り込まれた検知結果に対応する処理を実行する。
【００１８】
操作メニューは、図２に示すような階層構造を有する。メインメニューは、“セットアップ”，“ファイル転送”，“動画ファイル”および“静止画ファイル”の４つの項目を有する。“セットアップ”の下階層のサブメニューは、“効果音”，“輝度”および“戻る”の３つの項目を有する。また、“効果音”の下階層のサブメニューは“あり”，“なし”および“戻る”の３つの項目を有し、“輝度”の下階層のサブメニューは“高輝度”，“中輝度”，“低輝度”および“戻る”の４つの項目を有する。
【００１９】
“ファイル転送”の下階層のサブメニューは、“カード→ストレージ”，“ストレージ→カード”および“戻る”の３つの項目を有する。“動画ファイル”の下階層のサブメニューは、“Ｍ０００１”，“Ｍ０００２”，“Ｍ０００３”，…および“戻る”の項目を有する。静止画ファイルの下階層のサブメニューは、“Ｓ０００１”，“Ｓ０００２”，“Ｓ０００３”，…および“戻る”の項目を有する。
【００２０】
ここで、“セットアップ”の下階層に設けられた“効果音”の項目は、操作者によるタッチパッド２２の操作に応答してスピーカ４０から効果音を出力すべきか否かを選択するための項目である。“あり”が選択されると、サウンドジェネレータ３４が起動し、これによってタッチ操作毎にスピーカ４０から効果音が出力される。これに対して、“なし”が選択されると、サウンドジェネレータ３４が停止し、これによってスピーカ４０からの効果音の出力が停止される。
【００２１】
“セットアップ”の下階層に設けられた“輝度”の項目は、ＬＣＤモニタ３６に表示される画像の明るさを調整するための項目である。“高輝度”が選択されると、ＬＣＤドライバ３２に高輝度が設定され、ＬＣＤモニタ３６に表示される画像の明るさが増大する。“中輝度”が選択されると、ＬＣＤドライバ３２に中輝度が設定され、ＬＣＤモニタ３６に表示される画像の明るさが適度な明るさとなる。“低輝度”が選択されると、ＬＣＤドライバ３２に低輝度が設定され、ＬＣＤモニタ３６に表示される画像の明るさが低下する。
【００２２】
“ファイル転送”は、Ｉ／Ｆ１４に着脱自在に装着されるメモリカード１２と内蔵のストレージ２８との間でのファイル転送を指示するための項目である。“カード→ストレージ”が選択されると、メモリカード１２に格納された動画ファイルおよび／または静止画ファイルがストレージ２８に転送される。“ストレージ→カード”が選択されると、ストレージ２８に格納された動画ファイルおよび／または静止画ファイルがメモリカード１２に転送される。
【００２３】
“動画ファイル”は、ストレージ２８に格納された複数の動画ファイルのうち再生すべき動画ファイルを選択するための項目である。“Ｍ０００１”，“Ｍ０００２”，“Ｍ０００３”，…はいずれも動画ファイルのファイル名であり、いずれかのファイル名が選択されると、選択されたファイル名を有する動画ファイルが再生される。
【００２４】
“静止画ファイル”は、ストレージ２８に格納された複数の静止画ファイルのうち再生すべき静止画ファイルを選択するための項目である。“Ｓ０００１”，“Ｓ０００２”，“Ｓ０００３”，…はいずれも静止画ファイルのファイル名であり、いずれかのファイル名が選択されると、選択されたファイル名を有する静止画ファイルが再生される。
【００２５】
なお、この実施例では、ＭｏｔｉｏｎＪＰＥＧ方式で圧縮された圧縮動画像データが動画ファイルに収められ、ＪＰＥＧ方式で圧縮された圧縮静止画像データが静止画ファイルに収められる。
【００２６】
ファイル転送動作は、次の要領で実行される。メモリカード１２からストレージ２８へ転送する場合、まずＩ／Ｆ１４が、メモリカード１２から動画ファイルおよび／または静止画ファイルを読み出し、読み出された動画ファイルおよび／または静止画ファイルをメモリ制御回路１６を通してＳＤＲＡＭ１８に書き込む。ＳＤＲＡＭ１８に格納された動画ファイルおよび／または静止画ファイルは、メモリ制御回路１６を介してＩ／Ｆ２６に与えられ、Ｉ／Ｆ２６によってストレージ２８に書き込まれる。
【００２７】
一方、ストレージ２８からメモリカード１２へ転送する場合は、まずＩ／Ｆ２６が、ストレージ２６から動画ファイルおよび／または静止画ファイルを読み出し、読み出された動画ファイルおよび／または静止画ファイルをメモリ制御回路１６を通してＳＤＲＡＭ１８に書き込む。ＳＤＲＡＭ１８に格納された動画ファイルおよび／または静止画ファイルは、メモリ制御回路１６を介してＩ／Ｆ１４に与えられ、Ｉ／Ｆ１４によってメモリカード１２に書き込まれる。
【００２８】
動画ファイルの再生動作は、次の要領で実行される。所望の動画ファイルに格納された圧縮動画像データは、Ｉ／Ｆ２６によって読み出され、メモリ制御回路１６を通してＳＤＲＡＭ１８に書き込まれる。ＪＰＥＧデコーダ２０は、ＳＤＲＡＭ１８に書き込まれた圧縮動画像データをメモリ制御回路１６を通して読み出し、読み出された圧縮動画像データを伸長し、そして伸長動画像データをメモリ制御回路１６を通してＳＤＲＡＭ１８に書き込む。ＬＣＤドライバ３２は、こうして得られた伸長動画像データをメモリ制御回路１６を通して読み出し、読み出された伸長動画像データに基づいてＬＣＤモニタ３６を駆動する。この結果、動画像がモニタ画面に表示される。なお、表示される動画像の明るさは、上述の要領でＬＣＤドライバ３２に設定された輝度に従う。
【００２９】
静止画ファイルの再生動作は、次の要領で実行される。所望の静止画ファイルに格納された圧縮静止画像データは、Ｉ／Ｆ２６によって読み出され、メモリ制御回路１６を通してＳＤＲＡＭ１８に書き込まれる。ＪＰＥＧデコーダ２０は、ＳＤＲＡＭ１８に書き込まれた圧縮静止画像データをメモリ制御回路１６を通して読み出し、読み出された圧縮静止画像データを伸長し、そして伸長静止画像データをメモリ制御回路１６を通してＳＤＲＡＭ１８に書き込む。ＬＣＤドライバ３２は、こうして得られた伸長静止画像データをメモリ制御回路１６を通して繰り返し読み出し、読み出された伸長静止画像データに基づいてＬＣＤモニタ３６を駆動する。この結果、静止画像がモニタ画面に表示される。なお、表示される静止画像の明るさも、上述の要領でＬＣＤドライバ３２に設定された輝度に従う。
【００３０】
図３（Ａ）および図３（Ｂ）を参照して、フォトビューワ１０は、ヒンジＨ１によって回動可能に軸支された板状のケースＣ１およびＣ２を有する。ＬＣＤモニタ３６は、画面がケースＣ１の内側面に露出するように、ケースＣ１に取り付けられる。ケースＣ２の内側面は、絶縁シートＩＳＴ１によって覆われる。絶縁シートＩＳＴ１の表面には、円形の決定キーＰ１，円環状のダイヤルキーＰ２および短冊状のファンクションキーＰ３〜Ｐ６が描かれる。このような絶縁シートＩＳＴ１とその裏面に設けられた図８に示すプリント基板ＰＣＢ１（後述）とによって、タッチパッド２２が形成される。
【００３１】
ここで、ファンクションキーＰ３，Ｐ４，Ｐ５およびＰ６はそれぞれ、“セットアップ”，“ファイル転送”，“動画ファイル”および“静止画ファイル”を直接的に選択するためのキーに相当する。また、ダイヤルキーＰ２は、後述するカーソルＣＳを移動させるためのキーに相当する。さらに、決定キーＰ１は、カーソルＣＳが指向する項目を選択するためのキーに相当する。
【００３２】
なお、決定キーＰ１およびファンクションキーＰ３〜Ｐ６の各々は、大人の人差し指の尖端程度のサイズを有する。ダイヤルキーＰ２がなす円環の幅もまた、大人の人差し指の尖端程度のサイズを有する。カーソルＣＳは、ダイヤルキーＰ２がなす円環上で指をスライドさせることで画面上を移動する。
【００３３】
電源が投入されると、ＣＰＵ３０は、決定キーＰ１，ダイヤルキーＰ２およびファンクションキーＰ３〜Ｐ６に上述の機能ないしパラメータを割り当て、かつメインメニューおよびカーソルＣＳの表示をキャラクタジェネレータ３４に要求する。
【００３４】
キャラクタジェネレータ３４は対応するキャラクタデータをＬＣＤドライバ３２に与え、この結果、図４（Ａ）に示す画像がＬＣＤモニタ３６から出力される。図４（Ａ）によれば、“セットアップ”，“ファイル転送”，“動画ファイル”および“静止画ファイル”の４つの項目と“セットアップ”を指向するカーソルＣＳとが画面に表示される。
【００３５】
ファンクションキーＰ３に指がタッチされると、ＣＰＵ３０は、“セットアップ”の下階層に存在するサブメニューおよびカーソルＣＳの表示をキャラクタジェネレータ３４に要求する。同様の要求は、ダイヤルキーＰ２がなす円環上で指をスライドさせてカーソルＣＳを“セットアップ”に合わせ、この状態で決定キーＰ１に指がタッチされたときも、キャラクタジェネレータ３４に向けて発行される。
【００３６】
この結果、ＬＣＤモニタ３６の表示は、図４（Ａ）から図４（Ｂ）に遷移する。図４（Ｂ）によれば、“効果音”，“明るさ”および“戻る”の３つの項目と“効果音”を指向するカーソルＣＳとが画面に表示される。
【００３７】
ダイヤルキーＰ２によってカーソルＣＳを“効果音”に合わせた状態で決定キーＰ１にタッチすると、ＣＰＵ３０は、“効果音”の下階層に存在するサブメニューおよびカーソルＣＳの表示をキャラクタジェネレータ３４に要求する。ＬＣＤモニタ３６の表示は、図４（Ｂ）から図４（Ｃ）に遷移する。図４（Ｃ）によれば、“あり”，“なし”および“戻る”の３つの項目と“あり”を指向するカーソルＣＳとが画面に表示される。
【００３８】
ここで、ダイヤルキーＰ２によってカーソルＣＳを“あり”に合わせ、決定キーＰ１にタッチすると、ＣＰＵ３０によってサウンドジェネレータ３８が起動される。一方、ダイヤルキーＰ２によってカーソルＣＳを“なし”に合わせ、決定キーＰ１にタッチすると、ＣＰＵ３０によってサウンドジェネレータ３８が停止される。
【００３９】
図４（Ｂ）に示す画面上で、ダイヤルキーＰ２によってカーソルＣＳを“明るさ”に合わせかつ決定キーＰ１にタッチすると、ＣＰＵ３０は、“明るさ”の下階層に存在するサブメニューおよびカーソルＣＳの表示をキャラクタジェネレータ３４に要求する。ＬＣＤモニタ３６の表示は、図４（Ｂ）から図４（Ｄ）に遷移する。図４（Ｄ）によれば、“高輝度”，“中輝度”，“低輝度”および“戻る”の４つの項目と“高輝度”を指向するカーソルＣＳとが画面に表示される。
【００４０】
ここで、ダイヤルキーＰ２によってカーソルＣＳを“高輝度”に合わせ、決定キーＰ１にタッチすると、ＬＣＤドライバ３２に高輝度が設定される。また、ダイヤルキーＰ２によってカーソルＣＳを“中輝度”に合わせ、決定キーＰ１にタッチすると、ＬＣＤドライバ３２に中輝度が設定される。さらに、ダイヤルキーＰ２によってカーソルＣＳを“低輝度”に合わせ、決定キーＰ１にタッチすると、ＬＣＤドライバ３２に低輝度が設定される。
【００４１】
なお、図４（Ｂ），図４（Ｃ）または図４（Ｄ）の画面上で、ダイヤルキーＰ２によってカーソルＣＳを“戻る”に合わせ、決定キーＰ１にタッチすると、ＣＰＵ３０は、メインメニューおよびカーソルＣＳの表示をキャラクタジェネレータ３４に要求する。この結果、画面表示は図４（Ａ）に戻る。
【００４２】
メインメニューが表示された状態で、ファンクションキーＰ４にタッチするか、或いはダイヤルキーＰ２によってカーソルＣＳを“ファイル転送”に合わせかつ決定キーＰ１にタッチすると、ＣＰＵ３０は、“ファイル転送”の下階層に存在するサブメニューおよびカーソルＣＳの表示をキャラクタジェネレータ３４に要求する。この結果、ＬＣＤモニタ３６の表示は、図５（Ａ）から図５（Ｂ）に遷移する。図５（Ｂ）によれば、“カード→ストレージ”，“ストレージ→カード”および“戻る”の３つの項目と“カード→ストレージ”を指向するカーソルＣＳとが画面に表示される。
【００４３】
ここで、ダイヤルキーＰ２によってカーソルＣＳを“カード→ストレージ”に合わせ、決定キーＰ１にタッチすると、メモリカード１２に格納された動画ファイルおよび／または静止画ファイルがストレージ２８に転送される。一方、ダイヤルキーＰ２によってカーソルＣＳを“ストレージ→カード”に合わせ、決定キーＰ１にタッチすると、ストレージ２８に格納された動画ファイルおよび／または静止画ファイルがメモリカード１２に転送される。
【００４４】
メインメニューが表示された状態で、ファンクションキーＰ５にタッチするか、或いはダイヤルキーＰ２によってカーソルＣＳを“動画ファイル”に合わせかつ決定キーＰ１にタッチすると、ＣＰＵ３０は、“動画ファイル”の下階層に存在するサブメニューおよびカーソルＣＳの表示をキャラクタジェネレータ３４に要求する。この結果、ＬＣＤモニタ３６の表示は、図６（Ａ）から図６（Ｂ）に遷移する。図６（Ｂ）によれば、“Ｍ０００１”，“Ｍ０００２”，“Ｍ０００３”…の項目と“Ｍ０００１”を指向するカーソルＣＳとが画面に表示される。
【００４５】
ここで、ダイヤルキーＰ２によってカーソルを所望のファイル名に合わせ、かつ決定キーＰ１にタッチすると、カーソルＣＳが指向するファイル名の動画ファイルに格納された圧縮動画像データが再生され、所望の動画像がＬＣＤモニタ３６から出力される。画面表示は、決定キーＰ１が再度タッチされたときに図６（Ｂ）に戻る。
【００４６】
メインメニューが表示された状態で、ファンクションキーＰ６にタッチするか、或いはダイヤルキーＰ２によってカーソルＣＳを“静止画ファイル”に合わせかつ決定キーＰ１にタッチすると、ＣＰＵ３０は、“静止画ファイル”の下階層に存在するサブメニューおよびカーソルＣＳの表示をキャラクタジェネレータ３４に要求する。この結果、ＬＣＤモニタ３６の表示は、図７（Ａ）から図７（Ｂ）に遷移する。図７（Ｂ）によれば、“Ｓ０００１”，“Ｓ０００２”，“Ｓ０００３”…の項目と“Ｓ０００１”を指向するカーソルＣＳとが画面に表示される。
【００４７】
ここで、ダイヤルキーＰ２によってカーソルを所望のファイル名に合わせ、かつ決定キーＰ１にタッチすると、カーソルＣＳが指向するファイル名の静止画ファイルに格納された圧縮静止画像データが再生され、所望の静止画像がＬＣＤモニタ３６から出力される。画面表示は、決定キーＰ１が再度タッチされたときに図７（Ｂ）に戻る。
【００４８】
なお、図６（Ｂ）または図７（Ｂ）に示す画像は、未表示のファイル名を表示するときにスクロールされる。スクロールによって“戻る”の項目が表示され、カーソルＣＳが“戻る”を指向する状態で決定キーＰ１がタッチされると、画面表示は図６（Ａ）または図７（Ａ）に戻る。
【００４９】
図８を参照して、プリント基板ＰＣＢ１は、基板ＳＢ１の表面にプリントされた１４個の電極Ｅ１〜Ｅ１４を有する。電極Ｅ１およびＥ２は、基板ＳＢ１上に円形のメタルをプリントし、かつプリントされた円形のメタルを直径方向にエッチングすることで得られる。また、電極Ｅ３〜Ｅ１０は、円環状のメタルを電極Ｅ１およびＥ２を囲むように基板ＳＢ１上にプリントし、プリントされた円環状のメタルを４５°の角度を隔てた８つの位置で半径方向にエッチングすることで得られる。さらに、電極Ｅ１１〜Ｅ１４は、電極Ｅ３〜Ｅ１０によって描かれる円環の外側に位置するように、基板ＳＢ１上に短冊状にプリントされる。基板ＳＢ１の表面には、導電線Ｌ１〜Ｌ１４もプリントされる。電極Ｅ１〜Ｅ１４は導電線Ｌ１〜Ｌ１４の一方端とそれぞれ接続され、導電線Ｌ１〜Ｌ１４の他方端は基板ＳＢ１の端部に達する。
【００５０】
この結果、電極Ｅ１および導電線Ｌ１によって導電体ＥＣ１が形成され、電極Ｅ２および導電線Ｌ２によって導電体ＥＣ２が形成され、電極Ｅ３および導電線Ｌ３によって導電体ＥＣ３が形成され、電極Ｅ４および導電線Ｌ４によって導電体ＥＣ４が形成され、そして電極Ｅ５および導電線Ｌ５によって導電体ＥＣ５が形成される。
【００５１】
また、電極Ｅ６および導電線Ｌ６によって導電体ＥＣ６が形成され、電極Ｅ７および導電線Ｌ７によって導電体ＥＣ７が形成され、電極Ｅ８および導電線Ｌ８によって導電体ＥＣ８が形成され、電極Ｅ９および導電線Ｌ９によって導電体ＥＣ９が形成され、そして電極Ｅ１０および導電線Ｌ１０によって導電体ＥＣ１０が形成される。
【００５２】
さらに、電極Ｅ１１および導電線Ｌ１１によって導電体ＥＣ１１が形成され、電極Ｅ１２および導電線Ｌ１２によって導電体ＥＣ１２が形成され、電極Ｅ１３および導電線Ｌ１３によって導電体ＥＣ１３が形成され、そして電極Ｅ１４および導電線Ｌ１４によって導電体ＥＣ１４が形成される。
【００５３】
ここで、導電線Ｌ１は、電極Ｅ７およびＥ８のいずれにも接触しないように、電極Ｅ７およびＥ８の間の空隙を延びる。また、導電線Ｌ２は、電極Ｅ５およびＥ６のいずれにも接触しないように、電極Ｅ５およびＥ６の間の空隙を延びる。つまり、基板ＳＢ１の端部に達するために電極Ｅ３〜Ｅ１０によって描かれる円環と交差する必要のある導電線Ｌ１およびＬ２は、電極Ｅ３〜Ｅ１０の少なくとも１つを挟みかつ電極Ｅ３〜Ｅ１０に接触しないようにして、円環の内側から外側に延びる。
【００５４】
図３（Ａ）および図３（Ｂ）に示す絶縁シートＩＳＴ１は、このようなプリント基板ＰＣＢ１の表面に積層される。決定キーＰ１は電極Ｅ１およびＥ２を覆う位置に円形状に描かれ、ダイヤルキーＰ２は電極Ｅ３〜Ｅ１０を覆う位置に円環状に描かれ、そしてファンクションキーＰ３〜Ｐ６は電極Ｅ１１〜Ｅ１４をそれぞれ覆う位置に短冊状に描かれる。
【００５５】
操作検知回路２４は、図９に示すように構成される。導電体ＥＣ１〜ＥＣ１４の静電容量ＶＣ１〜ＶＣ１４は、デコーダ２４０１〜２４１４によってそれぞれ判別される。デコーダ２４０１〜２４１４の各々からは、“Ｈ”または“Ｌ”に相当するデコード値が出力される。なお、“Ｈ”がアクティブなデコード値に相当し、“Ｌ”がネガティブなデコード値に相当する。
【００５６】
デコーダ２４０１〜２４１４の各々の動作を、図１０，図１１（Ａ）〜図１１（Ｂ）を参照して説明する。たとえば、操作者の指がファンクションキーＰ３に触れると、導電体ＥＣ１１の静電容量ＶＣ１１が増大する。同様に、操作者の指が決定キーＰ１に触れると、導電体ＥＣ１の静電容量ＶＣ１および導電体ＥＣ２の静電容量ＶＣ２が増大する。
【００５７】
入力インピーダンスＺｉｎは、このような指の接触／非接触によって変化する。設計誤差から、非接触状態における入力インピーダンスＺｉｎの大きさは、基準インピーダンスＺｒｅｆの大きさと相違する（図１１（Ａ）参照）。この相違を“差分インピーダンスＺｉｎＩ”と定義すると、差分インピーダンスＺｉｎＩの大きさは非接触状態において安定し、接触状態において時間の経過とともに増大する。
【００５８】
このような差分インピーダンスＺｉｎＩの増大量を“ΔＺｉｎ”と定義した場合、デコーダ２４０１〜２４１４の各々の出力は、増大量ΔＺｉｎが閾値ＴＨを下回るとき“Ｌ”を示す一方、増大量ΔＺｉｎが閾値ＴＨ以上のとき“Ｈ”を示す。
【００５９】
ＣＰＵ３０は、図１２〜図１３に示す操作判別タスクを含む複数のタスクを並列的に実行する。なお、これらのタスクに対応する制御プログラムは、フラッシュメモリ４２に記憶される。
【００６０】
まずステップＳ１で初期設定を行う。これによって、決定キーＰ１（つまり電極Ｅ１〜Ｅ２），ダイヤルキーＰ２（つまり電極Ｅ３〜Ｅ１０），およびファンクションキーＰ３〜Ｐ６（つまり電極Ｅ１１〜Ｅ１４）に上述の機能ないしパラメータが割り当てられ、メインメニューおよびカーソルＣＳの表示要求がキャラクタジェネレータ３４に向けて発行される。
【００６１】
続くステップＳ３では、デコーダ２４０１〜２４１４から合計１４個のデコード値を取り込む。ステップＳ５では取り込まれた１４個のデコード値のうち“Ｈ”を示すデコード値の数が“２”を上回るか否かを判別し、ＹＥＳであればそのままステップＳ３に戻る一方、ＮＯであればステップＳ７〜Ｓ１９の処理を経てステップＳ３に戻る。つまり、ステップＳ７以降の処理は、“Ｈ”を示すデコード値の数が２以下のときに許可され、“Ｈ”を示すデコード値の数が３以上のときに禁止される。
【００６２】
ステップＳ７ではデコーダ２４０１から出力されたデコード値が“Ｈ”を示すか否かを判別し、ステップＳ９ではデコーダ２４０２から出力されたデコード値が“Ｈ”を示すか否かを判別する。ステップＳ７およびＳ９のいずれもＹＥＳであれば、ステップＳ１１で決定処理つまりカーソルＣＳが指向する項目を選択する処理を実行し、その後にステップＳ３に戻る。
【００６３】
一方、ステップＳ７またはＳ９でＮＯであれば、デコーダ２４０３〜２４１０のデコード値の１つまたは２つが“Ｈ”を示すか否かをステップＳ１３で判別し、デコーダ２４１１〜２４１４のデコード値の１つまたは２つが“Ｈ”を示すか否かをステップＳ１５で判別する。ステップＳ１３でＹＥＳであればステップＳ１７に進み、カーソルＣＳを所望の方向に移動させるか、あるいは表示項目を上下方向にスクロールさせる。ステップＳ１５でＹＥＳであれば、対応するサブメニューとカーソルの表示をキャラクタジェネレータ３４に対して要求する。ステップＳ１７またはＳ１９の処理が完了するか、またはステップＳ１３およびＳ１５のいずれもＮＯであれば、ステップＳ３に戻る。
【００６４】
以上の説明から分かるように、電極Ｅ１およびＥ２は、基板ＳＢ１上に形成される。また、電極Ｅ３〜Ｅ１０は、電極Ｅ１およびＥ２を囲むように基板ＳＢ１上に形成される。導電線Ｌ１およびＬ２は、電極Ｅ６およびＥ７を挟むように基板ＳＢ１上を延びて、電極Ｅ１およびＥ２にそれぞれ接続される。絶縁シートＩＳＴ１は、外部に露出した表面を有して、電極Ｅ１〜Ｅ１０および導電線Ｌ１〜Ｌ１０を覆う。
【００６５】
操作者の指が絶縁シートＩＳＴ１の表面に接触した場合において、接触部分の裏側に電極Ｅ１およびＥ２が存在すれば、導電体ＥＣ１の静電容量ＶＣ１と導電体ＥＣ２の静電容量ＶＣ２とが変化する。同様に操作者の指が絶縁シートＩＳＴ１の表面に接触した場合において、接触部分の裏側に電極Ｅ７とその近傍を延びる導電線Ｌ１が存在すれば、導電体ＥＣ７の静電容量ＶＣ７と導電体ＥＣ１の静電容量ＶＣ１とが変化する。
【００６６】
ただし、この実施例では、２つの電極Ｅ１およびＥ２と２つの導電線Ｌ１およびＬ２とが準備され、導電線Ｌ１およびＬ２は電極Ｅ６およびＥ７を挟むように延びる。したがって、導電体ＥＣ１の静電容量ＶＣ１および導電体ＥＣ２の静電容量ＶＣ２を個別に監視することで、静電容量ＶＣ１の変化が電極Ｅ１およびＥ２を覆う部分への指の接触に起因するのか、或いは電極Ｅ７とその近傍を延びる導電線Ｌ１を覆う部分への指の接触に起因するのかが判明する。これによって、操作態様の誤判別を防止することができる。
【００６７】
なお、この実施例では、電極Ｅ３〜Ｅ１０によって描かれる円環の内側に１対の電極Ｅ１およびＥ２を形成するようにしているが、図１４示すプリント基板ＰＣＢ２のように、２対以上の電極を円環の内側に形成するようにしてもよい。
【００６８】
図１４によれば、電極Ｅ１ａおよびＥ２ａが対をなし、導電線Ｌ１ａおよびＬ２ａが電極Ｅ１ａおよびＥ２ａからそれぞれ延びる。また、電極Ｅ１ｂおよびＥ２ｂが対をなし、導電線Ｌ１ｂおよびＬ２ｂが電極Ｅ１ｂおよびＥ２ｂからそれぞれ延びる。さらに、電極Ｅ１ｃおよびＥ２ｃが対をなし、導電線Ｌ１ｃおよびＬ２ｃが電極Ｅ１ｃおよびＥ２ｃからそれぞれ延びる。さらにまた、電極Ｅ１ｄおよびＥ２ｄが対をなし、導電線Ｌ１ｄおよびＬ２ｄが電極Ｅ１ｄおよびＥ２ｄからそれぞれ延びる。
【００６９】
ここで、導電線Ｌ１ａは電極Ｅ９およびＥ１０の間の空隙を延び、導電線Ｌ２ａは電極Ｅ１０およびＥ３の間の空隙を延びる。また、導電線Ｌ１ｂは電極Ｅ４およびＥ５の間の空隙を延び、導電線Ｌ２ｂは電極Ｅ３およびＥ４の間の空隙を延びる。さらに、導電線Ｌ１ｃは電極Ｅ６およびＥ７の間の空隙を延び、導電線Ｌ２ｃは電極Ｅ５０およびＥ６の間の空隙を延びる。また、導電線Ｌ１ｄは電極Ｅ７およびＥ８の間の空隙を延び、導電線Ｌ２ｄは電極Ｅ８およびＥ９の間の空隙を延びる。
【００７０】
また、この実施例では、プリント基板ＰＣＢ１を１枚の絶縁シートＩＳＴ１によって覆うようにしているが、分割された複数毎の絶縁シートによってプリント基板ＰＣＢ１を局所的に覆うようにしてもよい。
【００７１】
さらに、この実施例では、電極Ｅ３〜Ｅ１０に割り当てられるパラメータとしてカーソルＣＳを想定し、ダイヤルキーＰ２上でのタッチ操作に応答して変更するパラメータ値としてカーソルＣＳの位置を想定している。しかし、電極Ｅ３〜Ｅ１０に割り当てられるパラメータおよびその値としては、効果音およびその大きさを想定したり、再生すべき画像フレームおよびその位置を想定したりするようにしてもよい。
【００７２】
また、この実施例では、静電容量型タッチパッド装置としてフォトビューワを想定しているが、この発明はオーディオプレーヤなどの装置にも適用できることは言うまでもない。
【００７３】
さらに、この実施例によれば、デコーダ２４０１〜２４１４の各々は、差分インピーダンスＺｉｎＩの増大量ΔＺｉｎを閾値ＴＨと比較して、出力を“Ｈ”および“Ｌ”の間で切り換える。しかし、デコーダ２４０１〜２４１４の各々は、入力インピーダンスＺｉｎ＞基準インピーダンスＺｒｅｆのときに“Ｈ”を出力する一方、入力インピーダンスＺｉｎ≦基準インピーダンスＺｒｅｆのときに“Ｌ”を出力するようにしてもよい。
【図面の簡単な説明】
【００７４】
【図１】この発明の一実施例の構成を示すブロック図である。
【図２】図１実施例に適用されるメニューの階層構造の一例を示す図解図である。
【図３】（Ａ）は図１実施例の外観の一部を示す図解図であり、（Ｂ）は図１実施例の外観の他の一部を示す図解図である。
【図４】（Ａ）は画面に表示されるメニューの一例を示す図解図であり、（Ｂ）は画面に表示されるメニューの他の一例を示す図解図であり、（Ｃ）は画面に表示されるメニューのその他の一例を示す図解図であり、（Ｄ）は画面に表示されるメニューのさらにその他の一例を示す図解図である。
【図５】（Ａ）は画面に表示されるメニューの他の一例を示す図解図であり、（Ｂ）は画面に表示されるメニューのその他の一例を示す図解図である。
【図６】（Ａ）は画面に表示されるメニューのさらにその他の一例を示す図解図であり、（Ｂ）は画面に表示されるメニューの他の一例を示す図解図である。
【図７】（Ａ）は画面に表示されるメニューのその他の一例を示す図解図であり、（Ｂ）は画面に表示されるメニューのさらにその他の一例を示す図解図である。
【図８】図１実施例に適用されるプリント基板の一例を示す図解図である。
【図９】図１実施例に適用される操作検知回路の構成の一例を示すブロック図である。
【図１０】図９実施例に適用されるデコーダの動作の一部を示す図解図である。
【図１１】（Ａ）は指がタッチパッドに接触していない状態におけるデコーダの動作の一部を示す図解図であり、（Ｂ）は指がタッチパッドに接触している状態におけるデコーダの動作の一部を示す図解図である。
【図１２】図１実施例に適用されるＣＰＵの動作の一部を示すフロー図である。
【図１３】図１実施例に適用されるＣＰＵの動作の他の一部を示すフロー図である。
【図１４】他の実施例に適用されるプリント基板の一例を示す図解図である。
【符号の説明】
【００７５】
１０  …フォトビューワ
２２  …タッチパッド
２４  …操作検知回路
３０  …ＣＰＵ
３４  …キャラクタジェネレータ
３６  …ＬＣＤモニタ
ＰＣＢ１，ＰＣＢ２  …プリント基板
Ｅ１〜Ｅ１４  …電極
Ｌ１〜Ｌ１４  …導電線
ＳＢ１  …基板
【図１】
2010072775.tif 000003
【図２】
2010072775.tif 000004
【図３】
2010072775.tif 000005
【図４】
2010072775.tif 000006
【図５】
2010072775.tif 000007
【図６】
2010072775.tif 000008
【図７】
2010072775.tif 000009
【図８】
2010072775.tif 000010
【図９】
2010072775.tif 000011
【図１０】
2010072775.tif 000012
【図１１】
2010072775.tif 000013
【図１２】
2010072775.tif 000014
【図１３】
2010072775.tif 000015
【図１４】
2010072775.tif 000016